【事件の表示】
　特願２０００−２３５１３４「ディスクプレーヤ」拒絶査定不服審判事件〔平成１３年　３月２３日出願公開、特開２００１−　７６４１２〕について、次のとおり審決する。
【結　論】
　本件審判の請求は、成り立たない。
【理　由】
Ｉ．手続の経緯
　本件審判の請求にかかる特許願（以下、「本願」という）は、平成２年２月９日に出願された特願平２−３０７１３号の一部を、平成８年１２月１６日に新たな出願となされた特願平８−３３６０７９号の一部を、さらに平成１０年４月２４日に新たな出願となされた特願平１０−１１４７２４号の、さらなる平成１２年８月３日付けで分割したものであって、平成１５年３月２７日付けで拒絶すべきものである旨の査定がなされたものである。そして、平成１５年５月８日付けで特許法第１２１条第１項の審判が請求され、平成１５年６月９日付けで手続補正書が提出されたものである。
　
　
II．本願発明について
　１．本願発明
　本願請求項に記載された発明は、平成１４年１２月２５日付け、及び平成１５年６月９日付けの各手続補正によって補正された明細書及び図面からみて、その特許請求の範囲に記載された以下のとおりのものと認める。
「【請求項１】
　ディスクを担持し得る複数のトレイを配列収納するディスク収納部と、
　前記ディスクに記録されている記録情報を読取るとともに、前記ディスク配方向に移動可能となる記録情報読取手段と、
　前記記録情報読取手段を前記ディスク配列方向に駆動する第１駆動手段と、
　前記ディスク収納部における指定されたディスクを担持したトレイと他のトレイとの間隔を広げるトレイ分離手段と、
　前記トレイ分離手段を駆動する第２駆動手段と、
　前記第１駆動手段及び前記第２駆動手段を制御する制御手段と、を有し、
　前記制御手段は、前記第２駆動手段による前記トレイ分離手段の駆動に伴って前記第１駆動手段による前記記録情報読取手段の駆動を行わせ、前記記録情報読取手段が前記指定されたディスクを担持したトレイの収納位置に位置付けられたときに前記第１駆動手段及び前記第２駆動手段による駆動を停止させることを特徴とするディスクプレーヤ。」（以下、「本願発明」という）
　
　２．先願明細書及びその記載
　原査定の拒絶理由通知に引用された本願の出願日前の他の出願であって、本願の出願後に出願公開された特願平１−３１５１７２号（特開平３−１７６８５２号公報参照）の願書に最初に添付した明細書及び図面（以下、「先願明細書」という）は、ディスクプレイヤーに関するもので、以下の記載がある。（なお、下線は当審で付与）
 　１）“［発明の目的］　本発明は、上記問題を解消するためになされたもので、車両への音響機器取付けスペースの制約に対応できる寸法をそなえた円盤状記録媒体再生装置を提供することを主たる目的としているものである。
［課題を解決するための手段］　本願の第1発明による円盤状記録媒体再生装置は、
円盤状記録媒体を各々収納すべく重ね合わされた複数のトレイ部材と、前記複数のトレイ部材を個別に上下動させるトレイ部材移動手段と、前記複数のトレイ部材の隙間にピックアップ部材を移動するピックアップ移動手段と、
　本願の第２発明による円盤状記録媒体再生装置は、
円盤状記録媒体を各々収納すべく重ね合わされた複数のトレイ部材と、前記複数のトレイ部材を個別に上下動させるトレイ部材移動手段と、前記複数のトレイ部材の隙間にピックアップ部材を移動するピックアップ部材移動手段と、
   ２）“図面は、本発明をＣＤプレーヤのオートチェンジャーに実施した例を示したものである。
　第１図は、オートチェンジャー要部の斜視図であって、内部構造を見やすいように、エスカッション、上部プレート、上部ケース等は除かれている。
　同図において、１０はケース、１１ａは下ブレ一トであり、そこからガイド軸１２ａ〜１２ｄ、ネジ送り用回転軸１３〜２０が立投されており、４つのトレイ２１〜２４がそれらを通している。トレイの右側にはピックアップ２５が回転軸２６を中心として回動自在、かつ上下動自在に配置されている。軸２７はピックアップを上下させるときに、ピックアップ２５が回勤しないように止めておくためのものであり、軸２８はピックアップが回動するときの位置検出用の軸材である。トレイの後方には回路ブロック部２９が設けられている。”（第２頁右下欄第１４〜第３頁左上欄第１１行目）
　 ３）“第２図は、第１図のオートチェンジャーを上から見た平面図、第３図は横からみた側面図である。同図に示すように、
下部プレート１１ａの下側には前記トレイ２１〜２４を上下動させるためのモータ、ギア、ベルト等の部材が組み込まれている。
３０〜３３はモータであり、例えばモータ３０が回転すると、それに直結のギア３０ａから前記回転軸１３側のギア１３ａに伝わり、回転軸１３を回転させる。回転軸１３にはネジがあり、それに対応するトレイ２１には、それに噛み合うネジが設けられているので、前記回転軸１３が回転すると、ネジ送り作用でトレイ ２１は上下移動する。他のトレイ２２，２３，２４の軸孔は遊び孔となっており、回転軸１３には対応しない。　また、モータ３０の回転は、別に設けたギア３４ａおよびベルト３５ａを介して回転軸１７へと伝わり、この回転軸側のネジとトレイ２１側のネジとの噛み合いにより、前記回転軸１３と同様にトレイ２１を上下動させる。　前記と同様な手段により、モータ３１〜３３の回転は、ギア３４ｂ〜３４ｄ、ベルト３５ｂ〜３５ｄを介して回転軸１８〜２０に伝わり、それぞれトレイ２２〜２４を上下動させる働きをする。なお、軸１２ａ〜１２ｄは各トレイの孔に密に挿入されているので、トレイは水平を保ったまま、円滑に上下動することができる。１１ｂは上部プレートである。
　 ４）“第２図および第３図に示すように、
下部プレート１１ａの下側には、ピックアップ２５を上下動と回動とをさせる機構が組み込まれ
　即ち、
３６はモータであり、モータ３６の回転はギア３７を介して前記回転軸２６側のギア２６ａに伝わる。一方、ピックアップ２５内にはプランジャー３８、吸引鉄芯３８ａ、戻り用スプリング３９、鉄芯に連結する扉４０があり、前記回転軸２６の回転時で、前記プランジャー３８がオフの時には、扉４０が軸２７の横に突出しているので、ピックアップ２５は上下の動きとなり、ブランジャー３８がオンの時には、鉄芯３８ａを引き付け、扉４０を開くので、ピックアップ２５は水平方向の回動を行い、第４図の位置となる。
　 ５）“第８図ないし第１０図にディスクＤ1〜Ｄ3をそれぞれ演奏する状熊を示す。
　ディスクＤ1を演奏する時には、第８図に示すように、トレイ２３，２４を下にやり、トレイ２１，２２を上にあげて、その間にピックアップ２５を入れる。ディスクＤ2を演奏する時には、第９図に示すように、トレイ２４を下にやり、トレイ２１，２２，２３を上にやり、その間にピックアップ２５を入れる。ディスクＤ2を演奏する時には、第１０図に示すように、トレイ２１，２２，２３，２４を上にあげ、その下にピックアップ２５を入れる。”（第３頁右下欄第１８行〜第４頁左上欄第９行目）
　 ６）“［発明の効果］　本発明によれば、トレイ部からディスクを引き出すことなく、トレイ部でそのまま演奏させることができるので、ＣＤオートチェンジャーの横幅の大幅な縮小化ができる。”（第４頁右下欄第１３行〜第１７行目）
　
　以上の記載を、各図面を参照して、整理すると、先願明細書には、以下のとおりの発明が記載されているものと認める。
　“円盤状記録媒体を各々収納すべく重ね合わされた複数のトレイ部材と、
前記複数のトレイ部材の隙間にピックアップ部材を移動するピックアップ移動手段と、
　下部プレート１１ａの下側には、ピックアップ２５を上下動と回動とをさせる機構が組み込まれており、モータ３６の回転はギア３７を介して回転軸２６側のギア２６ａに伝わり、一方、ピックアップ２５内にはプランジャー３８、吸引鉄芯３８ａ、戻り用スプリング３９、鉄芯に連結する扉４０があり、前記回転軸２６の回転時で、前記プランジャー３８がオフの時には、扉４０が軸２７の横に突出していて、ピックアップ２５は上下の動きとなり、ブランジャー３８がオンの時には、鉄芯３８ａを引き付け、扉４０を開くことで、ピックアップ２５は水平方向の回動を行い、下部プレート１１ａの下側には前記トレイ２１〜２４を上下動させるためのモータ、ギア、ベルト等の部材が組み込まれており、各モータ３０〜３３であって、例えばモータ３０が回転すると、それに直結のギア３０ａから前記回転軸１３側のギア１３ａに伝わり、回転軸１３を回転させ、回転軸１３にはネジがあり、それに対応するトレイ２１には、それに噛み合うネジが設けられているので、前記回転軸１３が回転すると、ネジ送り作用でトレイ２１は上下移動し、他のトレイ２２，２３，２４の軸孔は遊び孔となっており、回転軸１３には対応しないもので、モータ３０の回転は、別に設けたギア３４ａおよびベルト３５ａを介して回転軸１７へと伝わり、この回転軸側のネジとトレイ２１側のネジとの噛み合いにより、前記回転軸１３と同様にトレイ２１を上下動させ、前記と同様な手段により、モータ３１〜３３の回転は、ギア３４ｂ〜３４ｄ、ベルト３５ｂ〜３５ｄを介して回転軸１８〜２０に伝わり、それぞれトレイ２２〜２４を上下動させる働きをし、軸１２ａ〜１２ｄにおいて各トレイの孔に密に挿入されているので、トレイは水平を保ったまま、円滑に上下動することができるディスクプレーヤ。”（以下、「先願発明」という）
　
　３．対比及び判断
　 １）対比
　先願発明における“円盤状記録媒体を各々収納すべく重ね合わされた複数のトレイ部材と、”は本願発明の「複数のディスクを配列収納するディスク収納部と、」に相当する。
　先願発明における“前記複数のトレイ部材の隙間にピックアップ部材を移動するピックアップ移動手段と、”であるが、ピックアップ部材とは記録情報を読取る読取部であって、さらにこのものを“下部プレート１１ａの下側には、ピックアップ２５を上下動と回動とをさせる機構が組み込まれており、モータ３６の回転はギア３７を介して回転軸２６側のギア２６ａに伝わり、一方、ピックアップ２５内にはプランジャー３８、吸引鉄芯３８ａ、戻り用スプリング３９、鉄芯に連結する扉４０があり、前記回転軸２６の回転時で、前記プランジャー３８がオフの時には、扉４０が軸２７の横に突出していて、ピックアップ２５は上下の動きとなり”としていく構成であるから、上下方向とはディスク配列方向であるから、これは本願発明の「前記ディスク配方向に移動可能となる記録情報読取手段と、前記記録情報読取手段を前記ディスク配列方向に駆動する第１駆動手段と、」に相当する。
　先願発明における“下部プレート１１ａの下側には前記トレイ２１〜２４を上下動させるためのモータ、ギア、ベルト等の部材が組み込まれており、各モータ３０〜３３であって、例えばモータ３０が回転すると、それに直結のギア３０ａから前記回転軸１３側のギア１３ａに伝わり、回転軸１３を回転させ、回転軸１３にはネジがあり、それに対応するトレイ２１には、それに噛み合うネジが設けられているので、前記回転軸１３が回転すると、ネジ送り作用でトレイ２１は上下移動し、他のトレイ２２，２３，２４の軸孔は遊び孔となっており、回転軸１３には対応しないもので、モータ３０の回転は、別に設けたギア３４ａおよびベルト３５ａを介して回転軸１７へと伝わり、この回転軸側のネジとトレイ２１側のネジとの噛み合いにより、前記回転軸１３と同様にトレイ２１を上下動させ、前記と同様な手段により、モータ３１〜３３の回転は、ギア３４ｂ〜３４ｄ、ベルト３５ｂ〜３５ｄを介して回転軸１８〜２０に伝わり、それぞれトレイ２２〜２４を上下動させる働きをし、軸１２ａ〜１２ｄにおいては各トレイの孔に密に挿入されているので、トレイは水平を保ったまま、円滑に上下動することができる”であるが、これは本願発明の「前記ディスク収納部における指定されたディスクを担持したトレイと他のトレイとの間隔を広げるトレイ分離手段と、前記トレイ分離手段を駆動する第２駆動手段と、」に相当する。
　そして、先願発明においての、ピックアップの上下動させる、及び、トレイを上下動させる、各機構にはそこに駆動制御手段をもっていることは当然である。
　
　結局、両発明の［一致点］［一応の相違点］は、以下のとおりである。
　［一致点］
　「ディスクを担持し得る複数のトレイを配列収納するディスク収納部と、
　前記ディスクに記録されている記録情報を読取るとともに、前記ディスク配方向に移動可能となる記録情報読取手段と、
　前記記録情報読取手段を前記ディスク配列方向に駆動する第１駆動手段と、
　前記ディスク収納部における指定されたディスクを担持したトレイと他のトレイとの間隔を広げるトレイ分離手段と、
　前記トレイ分離手段を駆動する第２駆動手段と、
　前記第１駆動手段及び前記第２駆動手段を制御する制御手段と、を有し、たことを特徴とするディスクプレーヤ。」
　
　［一応の相違点］
　第１駆動手段及び前記第２駆動手段を制御する制御手段であるが、本願発明のものは、『第２駆動手段による前記トレイ分離手段の駆動に伴って前記第１駆動手段による前記記録情報読取手段の駆動を行わせ、前記記録情報読取手段が前記指定されたディスクを担持したトレイの収納位置に位置付けられたときに前記第１駆動手段及び前記第２駆動手段による駆動を停止させる』というものであるが、先願発明のものはこの構成に明確な言及がされてない点で一応の相違がある。
　
 　２）判断
　上記一応の相違点は、要するにトレイの隙間を得る分離手段の終了位置に記録情報読取手段をディスク配列方向に駆動を行って位置付けさせ、（本願発明に記載がない事項である）次のステップである複数のトレイの隙間に記録情報読取手段を移動させていくまでの工程である。確かに、先願発明のものは、トレイ分離手段の終了位置に記録情報読取手段であるピックアップ部材を最終的に位置づけさせるものの、そこまでの各制御系の駆動に関して必ずしも明確にしていない。
　しかしながら、各制御系の相互の駆動を関連させ、もってトレイの隙間を得る分離手段の終了位置にピックアップ部材を停止していることは明らかであるから、両制御系が同時ないしは独立に駆動するであるにしても相互に調整しようとすることは適宜になし得るもので特段のものではない。そして、先願発明においてこれを具体的にすると、各移動部材の制御系に関して通常的には、
 　(イ)ピックアップ部材の移動制御、次にトレイ隙間を得る分離制御
　 (ロ)トレイ隙間を得る分離制御、次にピックアップ部材の移動制御
　 (ハ)トレイの隙間を得る分離制御とピックアップ部材の移動制御とを同時を考えるものである。逆にいえばこれが全てである。
　そして、当該技術分野での駆動の迅速性確保は内在する必然的に求められる課題であって、上記の手法の中から(ハ)を考慮選択していくことは、トレイ分離手段の終了位置にピックアップ部材を迅速的確に位置づけさせるという課題解決のための具体化手段として、当業者が設計上適宜なし得ることである。
　
　結局、上記した一応の相違点は、先願発明のものにおいて当業者が課題解決のためになし得る具体化手段における微差である。
　
　なお、請求人は理由で「本願発明では、記録情報読取手段をディスク配列方向に駆動する第１駆動手段とトレイ分離手段を駆動する第２駆動手段を制御する制御手段を特定し、さらにその制御手段の制御方法を特定することにより、上記の技術課題を克服したものであり、さらに、その技術課題を克服することにより、記録情報読取手段の一連の移動動作を効率よく行わせることができるという効果が得られるものであります。単に「並行に行う」ものだけではなく、制御手段の制御方法に技術的意義を持たせて、記録情報読取手段の一連の移動動作を効率よく行わせるという具体的な技術内容を特定したものであるため、この技術内容にまで上記の審査官のご認定にあります「当業者であれば、先願文献２においても当然に相対位置決め手段とトレイ位置決め手段の動作は並行に行うものである。」に相当するものではないものと思料する次第であります。」と主張しているが、先願発明のものも一連の移動動作を効率的よく実行していくことは必然的であり、一方の制御系の終了をもって、次に他方の制御系を動作させること自体、先願発明の技術構成の説明ぶりはそのよう理解も可能であるにしても実質的、現実的でない。制御系の並行処理は時間効率からも適宜になし得る事項である。そして、上記でも記載しているが制御手法に特徴的手法は見られない。裏付ける本願明細書の【００５７】【００６８】を参酌しても『モータ３２が更に正転せしめられ（ステップＳ５）・・・また、このトレイ分離動作に伴って、モータ１２１が正転せしめられ（ステップＳ５）・・・現在ディスクのアドレスがサーチディスクのアドレスと一致（ステップＳ６）したら、モータ３２及びモータ１２１を停止せしめる（ステップＳ７）』という程度であれば、特異な技術的事項は何ら見いだせない。
　
　
III．むすび
　以上のとおりであるから、本願請求項１に係る発明は、原査定における拒絶の理由で通知した先願発明と実質的に同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができないものである。
　したがって、本願はその余の請求項について論及するまでもなく、拒絶すべきものである。
　
　よって、結論のとおり審決する。